(57)【要約】【課題】優れた断熱性、水密性、施工性を確保しながらも、平坦な外表面を有する屋根、壁を効率的に構築し得る建材パネルを提案する。【解決手段】少なくとも４つの端縁のうち、隣り合う少なくとも２つの端縁に、他の建材パネルの端縁に形成された溝部に嵌合可能な凸部を設け、隣り合う少なくとも別の２つの端縁に、他の建材パネルの端縁に形成された膨出部に嵌合可能な凹部を設け、凸部を、膨出部と同一サイズ、同一形状からなるもので構成し、凹部を、溝部と同一サイズ、同一形状からなるもので構成し、該凸部の末端部に、該凹部に引き続いて他の建材パネルの端縁に形成された膨出部との嵌合域を形成する切欠き凹所を形成する。【選択図】図１
2020117872.tif 000002
【特許請求の範囲】
【請求項１】
少なくとも４つの端縁によって区画された輪郭形状を有し、芯材を外皮材と内皮材とによって挟み込んだ積層構造からなるパネル本体を備え、
前記少なくとも４つの端縁に他の建材パネルをそれぞれ隣接配置して端縁同士を相互に突き合せることにより建築構造物の屋根または壁を構築する建材パネルであって、
前記少なくとも４つの端縁のうち、隣り合う少なくとも２つの端縁に、他の建材パネルの端縁に形成された溝部に嵌合可能な凸部を設け、隣り合う少なくとも別の２つの端縁に、他の建材パネルの端縁に形成された膨出部に嵌合可能な凹部を設け、
前記凸部は、前記膨出部と同一サイズ、同一形状からなるものであり、前記凹部は、前記溝部と同一サイズ、同一形状からなるものであり、該凸部の末端部には、該凹部に引き続いて他の建材パネルの端縁に形成された膨出部との嵌合域を形成する切欠き凹所を有することを特徴とする建材パネル。
【請求項２】
前記凸部は、隣り合う少なくとも２つの端縁に沿い連続的につながるものであり、前記凹部は、隣り合う少なくとも別の２つの端縁に沿い連続的につながるものであることを特徴とする請求項１に記載した建材パネル。
【請求項３】
前記凸部、前記凹部、前記切欠き凹所は、前記外皮材、前記内皮材および前記芯材の少なくとも一つに段下がり領域を形成することにより設けられたものであることを特徴とする請求項１または２に記載した建材パネル。
【請求項４】
前記凹部は、その底壁に、隣り合う少なくとも２つの端縁の相互間にまたがって連続的に伸延するとともに中空状のガスケットの配置を可能とする通し溝を有し、該切欠き凹所は、該通し溝につながる溝部を有することを特徴とする請求項１〜３のいずれか１項に記載した建材パネル。
【請求項５】
前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系あるいは鉱物繊維系の断熱材からなることを特徴とする請求項１〜４のいずれか１項に記載した建材パネル。
【発明の詳細な説明】
【技術分野】
【０００１】
本発明は、建築構造物の屋根や壁等に用いて好適な建材パネルに関するものである。
【背景技術】
【０００２】
二枚の金属板で断熱材を挟み込んだ積層構造からなるサンドイッチパネルは、軽量、高強度、高断熱、長尺材を効率的に製造できるメリットを有しており、工場や倉庫、一般住宅や集合住宅、店舗等の商業施設、あるいは畜舎等の建築構造物の外壁材や屋根材として広く採用されている。
【０００３】
とくに、外観上パネル固定用のねじ部材を隠すためのキャップを備えたサンドイッチパネルが知られており、この点に関する先行文献としては、例えば特許文献１、２が参照される。
【０００４】
ところで、従来のサンドイッチパネルは、パネル同士をつなぎ合わせるに当たっては、吊子等の２次部材を使用する必要があり効率的な施工が実施できない不具合を有しており、また、パネルの相互間に断熱欠損を起す隙間が形成されることもあって、高い断熱性を確保できるとは言い難いものであった。
【０００５】
なお、２次部材の使用を不要とするとともに断熱欠損を起す隙間が形成されることなしにパネル同士を連結できるものとしては例えば、特許文献３に開示されたパネルが知られているものの、ここに開示されているパネルは、パネルの連結部に山部が形成されるのが不可避であり、平坦な外表面を有する屋根や壁を構築する場合には使用することはできないものであった。
【先行技術文献】
【特許文献】
【０００６】
【特許文献１】特許第３３７４０７２号公報
【特許文献２】特開２０１７−２０１９２号公報
【特許文献３】特許第５１８９４０１号公報
【発明の概要】
【発明が解決しようとする課題】
【０００７】
本発明の目的は、優れた断熱性、水密性、施工性等の性能を確保しながらも、平坦な外表面を有する屋根、壁を構築できる建材パネルを提案するところにある。
【課題を解決するための手段】
【０００８】
本発明は、少なくとも４つの端縁によって区画された輪郭形状を有し、芯材を外皮材と内皮材とによって挟み込んだ積層構造からなるパネル本体を備え、
前記少なくとも４つの端縁に他の建材パネルをそれぞれ隣接配置して端縁同士を相互に突き合せることにより建築構造物の屋根または壁を構築する建材パネルであって、
前記少なくとも４つの端縁のうち、隣り合う少なくとも２つの端縁に、他の建材パネルの端縁に形成された溝部に嵌合可能な凸部を設け、隣り合う少なくとも別の２つの端縁に、他の建材パネルの端縁に形成された膨出部に嵌合可能な凹部を設け、
前記凸部は、前記膨出部と同一サイズ、同一形状からなるものであり、前記凹部は、前記溝部と同一サイズ、同一形状からなるものであり、該凸部の末端部には、該凹部に引き続いて他の建材パネルの端縁に形成された膨出部との嵌合域を形成する切欠き凹所を有することを特徴とする建材パネルである。
【０００９】
上記の構成からなる建材パネルにおいては、
１）前記凸部は、隣り合う少なくとも２つの端縁に沿い連続的につながるものであり、前記凹部は、隣り合う少なくとも別の２つの端縁に沿い連続的につながるものであること、
２）前記凸部、前記凹部、前記切欠き凹所は、前記外皮材、前記内皮材および前記芯材の少なくとも一つに段下がり領域を形成することにより設けられたものであること、
３）前記凹部は、その底壁に、隣り合う少なくとも２つの端縁の相互間にまたがって連続的に伸延するとともに中空状のガスケットの配置を可能とする通し溝を有し、該切欠き凹所は、該通し溝につながる溝部を有すること、
４）前記外皮材、前記内皮材は、亜鉛めっき鋼板、アルミニウム亜鉛合金めっき板、ステンレス鋼板、アルミニウム板、銅板またはそれらの塗装、被覆鋼板から選ばれるいずれか１種からなり、前記芯材は、発泡プラスチック系あるいは鉱物繊維系の断熱材からなること、
が課題解決のための具体的手段として好ましい。
【発明の効果】
【００１０】
本発明によれば、隣り合う少なくとも２つの端縁に設けられた凸部を、他の建材パネルの端縁に形成された溝部に嵌合させ、隣り合う少なくとも別の２つの端縁に設けられた凹部を、他の建材パネルの端縁に形成された膨出部に嵌合させることにより建材パネル同士のつなぎ合わせを可能とするものであり、断熱欠損を引き起こすような隙間が形成されることなしに建築構造物の屋根、壁を効率的に構築することができる。
【００１１】
また、本発明によれば、建材パネルは、外表面が平坦なものを用いることができるため、平坦な外表面を有する屋根、壁の構築が可能となる。
【図面の簡単な説明】
【００１２】
【図１】本発明にしたがう建材パネルの実施の形態を模式的に示した外観斜視図である。
【図２】図１に示した建材パネルを起立姿勢で示した外観斜視図である。
【図３】図２に示した建材パネルを１８０°回転させて示した外観斜視図である。
【図４】図１に示した建材パネルの正面を示した図である。
【図５】（ａ）は、図４に示した建材パネルの平面図であり、（ｂ）は、図４に示した建材パネルの底面を示した図である。
【図６】（ａ）は、図４に示した建材パネルの右側面であり、（ｂ）は、図４に示した建材パネルの左側面を示した図である。
【図７】図４に示した建材パネルの背面を示した図である。
【図８】図４のＡ−Ａ断面を示した図である。
【図９】図４のＢ−Ｂ断面を示した図である。
【図１０】二方向ガスケットの外観斜視図である。
【図１１】本発明にしたがう建材パネルを用いた屋根の葺きあげ状況を一部分について示した図である。
【図１２】本発明にしたがう建材パネルを用いた壁の構築状況を一部分について示した図である。
【図１３】本発明にしたがう建材パネルの接続状況を示す断面図である。
【図１４】本発明にしたがう建材パネルの他の実施の形態を示した外観斜視図である。
【図１５】本発明にしたがう建材パネルを用いて構築された屋根や壁等に樋部材を適用した例を示した図である。
【発明を実施するための形態】
【００１３】
以下、図面を参照して本発明をより具体的に説明する。
図１は、本発明にしたがう建材パネルの実施の形態を模式的に示した外観斜視図であり、図２は、図１に示した建材パネルを起立姿勢で示した外観斜視図であり、図３は、図２に示した建材パネルを１８０°回転させて示した外観斜視図である。
【００１４】
また、図４は、図１に示した建材パネルの正面を示した図であり、図５（ａ）（ｂ）は、図４に示した建材パネルの平面、底面を示した図であり、図６（ａ）（ｂ）は、図４に示した建材パネルの右側面、左側面をそれぞれ示した図であり、図７は、図４に示した建材パネルの背面を示した図であり、図８は、図４のＡ−Ａ断面を示した図であり、図９は、図４のＢ−Ｂ断面を示した図である。
【００１５】
建築構造物の屋根や壁を構築するに当たっては、本発明にしたがう建材パネルを複数枚用いることが前提であり、本発明でいう他の建材パネルとは、本発明にしたがう建材パネルと同じ構成からなるものを意味している。建材パネルの幅寸法や長さは任意に変更し得るものであって、図示のものには限定されるものではない。
【００１６】
図１〜９における符号１は、芯材Ａを外皮材Ｂと内皮材Ｃとによって挟み込んだ積層構造からなるパネル本体である。パネル本体１は、４つの端縁１ａ〜１ｄによって区画された輪郭形状を有している。
【００１７】
芯材Ａは、厚さ４０〜１５０ｍｍ程度の発泡プラスチック系あるいは鉱物繊維系の断熱材を用いることができ、外皮材Ｂ、内皮材Ｃは、厚さ０．２〜１．０ｍｍ程度の亜鉛めっき鋼板、アルミニウム亜鉛合金めっき板、ステンレス鋼板、アルミニウム板、銅板またはそれらの塗装、被覆鋼板を用いることができる。芯材Ａの厚さは、７５ｍｍ程度とするのが好ましく、外皮材Ｂ、内皮材Ｃとしては、厚さ０．５ｍｍ程度なるものを用いるのが好ましい。外皮材Ｂは、屋根や壁等の外表面に位置するものであり、内皮材Ｃは、母屋、胴縁、野地板等の下地材側に位置するものである。
【００１８】
また、符号２は、隣り合う２つの端縁１ａ、１ｂに設けられた凸部、３は、隣り合う別の２つの端縁１ｃ、１ｄに設けられた凹部である。凸部２は、端縁１ａ、１ｂに沿い連続的につながり、他の建材パネルをつなぎ合わせる際にその端縁に形成された溝部（凹部３と同じもの）に嵌合可能なものから構成されており、凹部３は、端縁１ｃ、１ｄに沿い連続的につながり、他の建材パネルをつなぎ合わせる際にその端縁に形成された膨出部（凸部２と同じもの）に嵌合可能なものから構成されている。
【００１９】
凸部２は、膨出部と同一サイズ、同一形状であり、凹部３は、溝部と同一サイズ、同一形状であり、凸部２の末端部には、凹部３に引き続いて他の建材パネルの端縁に形成された膨出部との嵌合域を形成する切欠き凹所２ａが設けられている。
【００２０】
凸部２、凹部３、切欠き凹所２ａは、外皮材Ｂ、内皮材Ｃおよび芯材Ａに成形加工を施して段下がり領域を形成することにより設けられるものである。凸部２、凹部３、切欠き凹所２ａは、外皮材Ｂ、内皮材Ｃ、芯材Ａのいずれか一つを成形加工して形成することもできる。
【００２１】
また、図における符号４は、凹部３の底壁３ａに設けられ、端縁１ｃ、１ｄの相互間にまたがって連続的に伸延する通し溝、５は、切欠き凹所２ａに設けられ、通し溝４につながる溝部である。
【００２２】
通し溝４、溝部５は、図１０に示すようなＬ字状をなす二方向ガスケット（コーナーガスケット）ｇを配置するために設けられるものであって、これにより、建材パネルのつなぎ合わせ部分からの雨水の侵入を防止するようになっている。なお、ガスケットｇとしては、押し潰し代（圧縮率）が５０％以上でガスケットｇの反発力をより有効に引き出して水密性や気密性を向上させることが可能な、例えば、シリコーンゴム、ＥＰＤＭゴム等の弾性材からなる中空状Ｄ型断面のガスケットが用いることができる。ガスケットｇの断面形状はとくに限定されない。ガスケットｇの端部には、同材質からなる堰板ｇ１を設けることができる（図１０中拡大図参照）。
【００２３】
図１１は、本発明にしたがう建材パネルを用いた屋根の葺きあげ状況を一部分について示した図であり、図１２は、本発明にしたがう建材パネルを用いた壁の構築状況を一部分について示した図である。
【００２４】
本発明にしたがう建材パネルは、建材パネル同士を桁方向に沿ってつなぎ合わせる場合、水下側、水上側に沿ってつなぎ合わせる場合のいずれにおいても、図１３に示すように、凸部２が他の建材パネルの溝部３′にガスケットｇを介して嵌合し、凹部３には他の建材パネルの凸部２′がガスケットｇを介して嵌合することになり、建材パネルのつなぎ合わせ状態では、断熱欠損を起すような隙間は形成されることはなく、優れた断熱性、水密性（止水性）が確保される。
【００２５】
また、本発明にしたがう建材パネルは、凸部２の側面にドリルねじを打ち込んで母屋、胴縁、野地板等の下地材に固定することが可能で、施工性が容易であり、しかも、端縁１ｃ、１ｄに凹部３の側壁を延長させる延長部分１ｃ１（１ｄ１）を設けておくことにより、ドリルねじの頭部が該延長部分１ｃ１（１ｄ１）によって覆い隠されるため屋根や壁の外表面に表れることがなく、美観が保たれる利点を有している（図１３参照）。
【００２６】
本発明にしたがう建材パネルは、建材パネルを水下側、水上側においてつなぎ合わせるに当たり、桁方向のつなぎ合わせを先行させて実施してもよいし、桁方向のつなぎ合わせに先行させて水下側、水上側のつなぎ合わせを実施してもよく、この点は限定されることはない。
【００２７】
建材パネルの相互間に形成される目地は、縦目地、横目地ともに共通した構造であり、建材パネルの四隅には、十字状の目地が形成される。
【００２８】
本発明の実施の形態では、正方形状の建材パネルを例として示したが、図１４に示すように必要に応じて、幅寸法や長さを任意に変更することができる。
【００２９】
また、本発明にしたがう建材パネルは、ガスケットｇを備えているため、建材パネルの相互間には、コーキング材を充填する必要がなく、目地は、乾式構造となる。建材パネルを下地材に固定するに当たっては建材パネルと下地材との間に図１５に示すような樋部材６を配置することも可能であり、かかる樋部材６を配置することにより二重の防水構造とすることができる。
【産業上の利用可能性】
【００３０】
本発明によれば、優れた断熱性、水密性、施工性を確保しながらも、平坦な外表面を有する屋根、壁を効率的に構築し得る建材パネルが提供できる。
【符号の説明】
【００３１】
１      パネル本体
１ａ〜１ｄ    端縁
２      凸部
２ａ    切欠き凹所
３      凹部
４      通し溝
５      溝部
６      樋部材
Ａ      芯材
Ｂ      外皮材
Ｃ      内皮材
ｇ      ガスケット
【図１】
2020117872.tif 000003
【図２】
2020117872.tif 000004
【図３】
2020117872.tif 000005
【図４】
2020117872.tif 000006
【図５】
2020117872.tif 000007
【図６】
2020117872.tif 000008
【図７】
2020117872.tif 000009
【図８】
2020117872.tif 000010
【図９】
2020117872.tif 000011
【図１０】
2020117872.tif 000012
【図１１】
2020117872.tif 000013
【図１２】
2020117872.tif 000014
【図１３】
2020117872.tif 000015
【図１４】
2020117872.tif 000016
【図１５】
2020117872.tif 000017